【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
ネットワーク上に存在する複数の外部装置のいずれかに、当該外部装置が有するサービスを実行させる情報処理装置であって、
実行すべき機能をユーザから受け付ける第１の受付手段と、
前記実行すべき機能に合致した複数のサービスのいずれかを実行する際の設定条件をユーザから受け付ける第２の受付手段と、
前記実行すべき機能及び前記設定条件に合致した複数のサービスを表示する表示手段と、
前記表示手段で表示された複数のサービスのいずれかの、ユーザによる選択を受け付ける第３の受付手段と、
前記第３の受付手段で選択されたサービスを有する外部装置に、当該サービスを実行させるために、前記設定条件を含むデータを送信する送信手段と、
を備えることを特徴とする情報処理装置。
【請求項２】
前記第１の受付手段で受け付けた実行すべき機能に合致した複数のサービスを表示する、前記表示手段とは異なる表示手段と、
前記実行すべき機能に合致した複数のサービスを列挙した第１のリストを生成する第１の生成手段と、
前記第１のリストに含まれる複数のサービスのうち、前記第２の受付手段で受け付けた設定条件に合致するサービスを列挙した第２のリストを生成する第２の生成手段と、
を更に備え、
前記異なる表示手段は前記第１のリストを表示し、前記表示手段は前記第２のリストを表示することを特徴とする請求項１に記載の情報処理装置。
【請求項３】
前記第２の生成手段は、前記第１のリストに列挙された複数のサービスから、前記設定条件に合致しないサービスを削除することにより、前記第２のリストを生成することを特徴とする請求項２に記載の情報処理装置。
【請求項４】
前記第１のリストを保持する保持手段を更に備え、
前記異なる表示手段は、前記表示手段で前記第２のリストが表示された後に、前記設定条件が取り消された場合に、前記保持手段に保持された前記第１のリストを再表示することを特徴とする請求項２に記載の情報処理装置。
【請求項５】
前記第１の受付手段は、原稿を読み取るスキャン機能、印刷を実行するコピー機能のいずれかをユーザから受け付けることを特徴とする請求項１に記載の情報処理装置。
【請求項６】
前記第２の受付手段は、カラー印刷、モノクロ印刷のいずれにより印刷を実行すべきかを示す設定条件をユーザから受け付けることを特徴とする請求項１に記載の情報処理装置。
【請求項７】
原稿を読み取る読取手段を更に備え、
前記第２の受付手段は、前記読取手段に供給される原稿のサイズを、前記設定条件として受け付けることを特徴とする請求項１に記載の情報処理装置。
【請求項８】
原稿を読み取る読取手段を更に備え、
前記第２の受付手段は、前記読取手段に供給される原稿の枚数を、前記設定条件として受け付けることを特徴とする請求項１に記載の情報処理装置。
【請求項９】
前記実行すべき機能に合致した複数のサービスのいずれかを実行する際の、前記設定条件とは異なる設定条件をユーザから受け付ける第４の受付手段と、
前記表示手段で表示された複数のサービスのうち、前記第４の受付手段で受け付けた設定条件に合致するサービスを表示する、前記表示手段とは異なる表示手段と、
を更に備えることを特徴とする請求項１に記載の情報処理装置。
【請求項１０】
前記第４の受付手段は、片面印刷、両面印刷のいずれにより印刷を実行すべきかを示す設定条件をユーザから受け付けることを特徴とする請求項９に記載の情報処理装置。
【請求項１１】
ネットワーク上に存在する複数の外部装置のいずれかに、当該外部装置が有するサービスを実行させる情報処理装置の制御方法であって、
実行すべき機能をユーザから受け付ける第１の受付工程と、
前記実行すべき機能に合致した複数のサービスのいずれかを実行する際の設定条件をユーザから受け付ける第２の受付工程と、
前記実行すべき機能及び前記設定条件に合致した複数のサービスを表示する表示工程と、
前記表示工程で表示された複数のサービスのいずれかの、ユーザによる選択を受け付ける第３の受付工程と、
前記第３の受付工程で選択されたサービスを有する外部装置に、当該サービスを実行させるために、前記設定条件を含むデータを送信する送信工程と、
を有することを特徴とする制御方法。
【請求項１２】
コンピュータを請求項１乃至１０のいずれか１項に記載の情報処理装置の各手段として機能させるためのプログラム。
【手続補正２】
【補正対象書類名】明細書
【補正対象項目名】発明の名称
【補正方法】変更
【補正の内容】
【発明の名称】情報処理装置及びその制御方法
【手続補正３】
【補正対象書類名】明細書
【補正対象項目名】０００１
【補正方法】変更
【補正の内容】
【０００１】
本発明は、ネットワーク上に存在する複数の外部装置のいずれかに、当該外部装置が有するサービスを実行させる情報処理装置及びその制御方法に関する。
【手続補正４】
【補正対象書類名】明細書
【補正対象項目名】０００６
【補正方法】変更
【補正の内容】
【０００６】
本発明は上記従来技術の課題を解決するためになされたもので、その目的とするところは、よりユーザフレンドリーでネットワーク負荷の少ないサービス検索技術を提供することにある。
また、本発明の目的とするところは、ユーザにより指示された機能及び設定条件に応じて、ネットワーク上に存在する複数の外部装置のいずれかが有するサービスを選択的に利用可能である情報処理装置及びその制御方法を提供することにある。
【手続補正５】
【補正対象書類名】明細書
【補正対象項目名】０００７
【補正方法】変更
【補正の内容】
【０００７】
上記目的を達成するため、本発明に係る情報処理装置は、ネットワーク上に存在する複数の外部装置のいずれかに、当該外部装置が有するサービスを実行させる情報処理装置であって、実行すべき機能をユーザから受け付ける第１の受付手段と、前記実行すべき機能に合致した複数のサービスのいずれかを実行する際の設定条件をユーザから受け付ける第２の受付手段と、前記実行すべき機能及び前記設定条件に合致した複数のサービスを表示する表示手段と、前記表示手段で表示された複数のサービスのいずれかの、ユーザによる選択を受け付ける第３の受付手段と、前記第３の受付手段で選択されたサービスを有する外部装置に、当該サービスを実行させるために、前記設定条件を含むデータを送信する送信手段と、を備える。
【手続補正６】
【補正対象書類名】明細書
【補正対象項目名】０００８
【補正方法】変更
【補正の内容】
【０００８】
上記目的を達成するため、本発明に係る制御方法は、ネットワーク上に存在する複数の外部装置のいずれかに、当該外部装置が有するサービスを実行させる情報処理装置の制御方法であって、実行すべき機能をユーザから受け付ける第１の受付工程と、前記実行すべき機能に合致した複数のサービスのいずれかを実行する際の設定条件をユーザから受け付ける第２の受付工程と、前記実行すべき機能及び前記設定条件に合致した複数のサービスを表示する表示工程と、前記表示工程で表示された複数のサービスのいずれかの、ユーザによる選択を受け付ける第３の受付工程と、前記第３の受付工程で選択されたサービスを有する外部装置に、当該サービスを実行させるために、前記設定条件を含むデータを送信する送信工程と、を有する。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、よりユーザフレンドリーでネットワーク負荷の少ないサービス検索技術を提供することができる。
また、本発明によれば、ユーザにより指示された機能及び設定条件に応じて、ネットワーク上に存在する複数の外部装置のいずれかが有するサービスを選択的に利用可能である情報処理装置及びその制御方法を提供することができる。